(57)【要約】      （修正有）【課題】本開示の装置、システムおよび方法は、プロセス制御システムのアクセスセキュリティを提供し得る。【解決手段】例えば、ユーザを表す現在の生体認証データが取得されて、以前に識別されたユーザを表す、記憶された生体認証データと比較され得る。プロセス制御システムに対するアクセスは、現在の生体認証データが記憶された生体認証データと一致すると、認可され得る。【選択図】図３
2018063701.tif 000002
【特許請求の範囲】
【請求項１】
プロセスプラントのためのプロセス制御システムを操作する方法であって、
ユーザインタフェースのセンサを介して、前記プロセス制御システムと対話することを認可されたユーザの生体認証データを取得することと、
前記取得した生体認証データを、前記プロセス制御システムと対話することを認可されたユーザの記憶されたデータと比較することと、
前記取得した生体認証データと前記記憶されたデータの間の一致に基づいてユーザの身元を判定することと、
前記ユーザの前記身元が判定されると、前記ユーザアクセスを前記プロセス制御システムに提供することと
を含む方法。
【請求項２】
前記取得した生体認証データが前記ユーザの顔の少なくとも一部分を含む画像を含み、前記取得した生体認証データを記憶されたデータと比較することが、
前記画像の１つまたは複数の顔の特性を判定することと、
前記１つまたは複数の顔の特性を前記プロセス制御システムと対話することを認可されたユーザの記憶されたデータと比較することと
を含む、請求項１に記載の方法。
【請求項３】
前記取得した生体認証データが音声録音を含み、前記取得した生体認証データを記憶されたデータと比較することが、
前記音声録音の１つまたは複数の音特性を判定することと、
前記音声録音の前記１つまたは複数の特性を、前記プロセス制御システムと対話することを認可されたユーザの記憶されたデータと比較することと
を含む、請求項１に記載の方法。
【請求項４】
前記音声録音の前記１つまたは複数の音特性を判定することは、前記音声録音と関連したトーン、ピッチ、韻律または周波数の１つまたは複数を分析することを含む、請求項３に記載の方法。
【請求項５】
前記プロセス制御システムへのアクセスを許可することは、電子署名のための要求である前記ユーザインタフェースへの入力を含み、
前記ユーザインタフェースの前記センサを介して前記ユーザの画像を取得することと、
前記取得した画像に基づいて、前記ユーザの１つまたは複数の四肢の配置を判定することと、
前記判定された配置に基づいて、前記ユーザの電子署名を含む出力信号を提供することと
をさらに含む、請求項１に記載の方法。
【請求項６】
前記ユーザの前記身元に基づいて認可のレベルを判定することと、
前記判定された認可のレベルに基づいて、前記ユーザインタフェースの１つまたは複数の要素を切り換えることと
をさらに含む、請求項１に記載の方法。
【請求項７】
前記プロセス制御システムへのアクセスを許可することは、
前記ユーザインタフェースの１つまたは複数のコンポーネントを有効にすること
を含んで、ユーザ入力に応答して１つまたは複数の変更を選択的に容易にすることを含む、請求項１に記載の方法。
【請求項８】
前記プロセス制御システムへのアクセスを許可することは、
前記プロセス制御システムのセットポイントを調整すること
を含んで、ユーザ入力に応答して１つまたは複数の変更を選択的に容易にすることを含む、請求項１に記載の方法。
【請求項９】
前記プロセス制御システムへのアクセスを許可することは、
前記プロセス制御システムのモジュールを構成すること
を含んで、ユーザ入力に応答して１つまたは複数の変更を選択的に容易にすることを含む、請求項１に記載の方法。
【請求項１０】
前記プロセス制御システムへのアクセスを許可することは、
前記ユーザの前記判定された身元を含む出力信号を提供すること
を含んで、ユーザ入力に応答して１つまたは複数の変更を選択的に容易にすることを含む、請求項１に記載の方法。
【請求項１１】
プロセスプラントのためのプロセス制御システムを操作するためのシステムであって、
通信ネットワークと、
前記通信ネットワークに通信で連結された１つまたは複数のプロセッサと、
前記１つまたは複数のプロセッサに連結され、前記１つまたは複数のプロセッサにより実行されると、前記システムに、
ユーザインタフェースのセンサを介して、前記プロセス制御システムと対話することを認可されたユーザの生体認証データを取得させ、
前記取得した生体認証データを、前記プロセス制御システムと対話することを認可されたユーザの記憶されたデータと比較させ、
前記取得した生体認証データと前記記憶されたデータ間の一致に基づいてユーザの身元を判定させ、
前記ユーザの前記身元が判定されると、前記プロセス制御システムへの前記ユーザアクセスを提供させる
命令をその上に記憶している、非一時的コンピュータ可読メモリと
を含むシステム。
【請求項１２】
前記取得した生体認証データが前記ユーザの顔の少なくとも一部分を含んでいる画像を含み、前記１つまたは複数の前記プロセッサにより実行されると前記システムに前記取得した生体認証データを記憶されたデータと比較させる前記命令が、
前記取得した生体認証データの１つまたは複数の顔の特性を判定することと、
前記１つまたは複数の特性を前記プロセスと関連した認可されたユーザの記憶されたデータと比較することと
を含む、請求項１１に記載のシステム。
【請求項１３】
前記１つまたは複数のプロセッサにより実行されると、前記１つまたは複数のステップを選択的に容易にさせる前記命令が、前記システムにさらに、
前記取得した生体認証データに基づいて、前記ユーザの１つまたは複数の四肢の配置を判定させ、
前記判定された配置に基づいて、前記ユーザの電子署名を含む出力信号を提供させる、請求項１１に記載のシステム。
【請求項１４】
前記１つまたは複数のプロセッサにより実行されると、前記命令が前記システムにさらに、
前記ユーザインタフェースの前記センサを介して前記ユーザと関連した動作を取得させ、
前記取得した動作に基づいて、前記取得した動作に応答して出力信号を提供させる、
請求項１１に記載のシステム。
【請求項１５】
前記出力信号が、前記ユーザインタフェースから前記ユーザをログオフする命令を含む、請求項１４に記載のシステム。
【請求項１６】
前記１つまたは複数のプロセッサにより実行されると、前記１つまたは複数のステップを選択的に容易にさせる前記命令が、前記システムにさらに、前記ユーザはユーザインタフェースを介して前記プロセス制御システムにアクセスすることが可能となるようにさせる、請求項１１に記載のシステム。
【請求項１７】
前記１つまたは複数のプロセッサにより実行されると、前記命令が前記システムにさらに、前記ユーザの前記判定された身元に基づいてユーザプロファイルを起動させる、請求項１１に記載のシステム。
【請求項１８】
前記１つまたは複数のプロセッサにより実行されると、前記命令が、ユーザ入力に対応する１つまたは複数のステップを選択的に容易にして、前記システムに、前記プロセス制御システムのセットポイントを調整させる、請求項１１に記載のシステム。
【請求項１９】
前記１つまたは複数のプロセッサにより実行されると、前記命令が、ユーザ入力に対応する１つまたは複数のステップを選択的に容易にして、前記システムに、
前記プロセス制御システムのモジュールを構成させる、
請求項１１に記載のシステム。
【請求項２０】
プロセス制御システムの１つまたは複数のプロセッサにより実行されると、前記プロセス制御システムに、
１つまたは複数のセンサによって、前記プロセス制御システムのプロセスと関連したユーザの生体認証データを取得させ、
前記１つまたは複数のプロセッサによって、前記取得した生体認証データに基づいて前記ユーザの認可のレベルを判定させ、
前記ユーザの前記身元が判定されると、前記プロセス制御システムへの前記ユーザアクセスを提供させる
命令を記憶する、有形のコンピュータ可読媒体。
【請求項２１】
プロセス制御システムの１つまたは複数のプロセッサにより実行されると、前記プロセス制御システムに、
前記１つまたは複数のプロセッサによって、前記ユーザからの前記プロセスに対応する入力を受信させ、
前記判定された認可のレベルに基づいて、前記１つまたは複数のプロセッサによって、前記入力に対応する１つまたは複数のステップを選択的に容易にさせる
命令をさらに記憶する、請求項２０に記載の有形のコンピュータ可読媒体。
【請求項２２】
前記プロセスに対応する前記入力は電子署名のための要求であり、前記１つまたは複数のプロセッサにより実行されると前記１つまたは複数のステップを選択的に容易にする前記命令が、前記プロセス制御システムにさらに、
前記１つまたは複数のプロセッサによって、前記取得した生体認証データに基づいて、前記ユーザの１つまたは複数の四肢の配置を判定させ、
前記判定された配置に基づいて、前記ユーザの電子署名を含む出力信号を提供させる、請求項２１に記載の有形のコンピュータ可読媒体。
【請求項２３】
前記１つまたは複数のプロセッサにより実行されると、前記入力に対応する前記１つまたは複数のステップを選択的に容易にする前記命令が、前記プロセス制御システムにさらに、
前記ユーザがユーザインタフェースを介して前記プロセス制御システムにアクセスすることを可能にさせる、
請求項２１に記載の有形のコンピュータ可読媒体。
【請求項２４】
前記１つまたは複数のプロセッサにより実行されると、前記入力に対応する前記１つまたは複数のステップを選択的に容易にする前記命令が、前記プロセス制御システムにさらに、
前記プロセス制御システムのセットポイントを調整させる、
請求項２１に記載の有形のコンピュータ可読媒体。
【請求項２５】
前記１つまたは複数のプロセッサにより実行されると、前記入力に対応する前記１つまたは複数のステップを選択的に容易にする前記命令が、前記プロセス制御システムにさらに、
前記プロセス制御システムのモジュールを構成させる、
請求項２１に記載の有形のコンピュータ可読媒体。
【請求項２６】
プロセスプラントのためのプロセス制御システムを操作するシステムであって、
通信ネットワークと、
前記通信ネットワークに通信で連結した１つまたは複数のプロセッサと、
前記１つまたは複数のプロセッサに連結して、１つまたは複数の前記プロセッサにより実行されると、前記システムに、
ユーザインタフェースのセンサを介して、前記プロセス制御システムと対話することを認可されたユーザの第１の生体認証データを取得させ、
前記第１の生体認証データを、前記プロセス制御システムと対話することを認可されたユーザの記憶されたデータと比較させ、
前記第１の生体認証データと前記記憶されたデータの間の一致に基づいて第１のユーザの身元を判定させ、
ユーザインタフェースのセンサを介して、前記プロセス制御システムと対話することを認可された第２のユーザの第２の生体認証データを取得させ、
前記取得した生体認証データに基づいて、前記第２のユーザの１つまたは複数の四肢の配置または声紋を判定させ、
前記判定された配置に基づいて、前記第２のユーザの電子署名を含む出力信号を提供させ、
前記第１のユーザの前記身元が判定されると、前記出力信号に基づいて、前記プロセス制御システムへの前記第１のユーザアクセスを提供させる
命令をその上に記憶する、非一時的コンピュータ可読メモリと
を含むシステム。
【請求項２７】
前記第１の生体認証データが前記第１のユーザの顔の少なくとも一部分を含んでいる画像を含み、前記第１のユーザが確認者であり、前記１つまたは複数の前記プロセッサにより実行されると前記システムに前記第１の生体認証データを記憶されたデータと比較させる前記命令が、
前記第１の生体認証データの１つまたは複数の顔の特性を判定することと、
前記１つまたは複数の特性を前記プロセスと関連した認可されたユーザの記憶されたデータと比較することと
を含む、請求項２６に記載のシステム。
【請求項２８】
前記命令が、１つまたは複数の前記プロセッサにより実行されると、前記システムにさらに、
前記ユーザインタフェースの前記センサを介して、前記第２のユーザと関連した動作を取得させ、
前記取得した動作に基づいて、前記第２のユーザは検証者であるところにおいて、前記出力信号を前記取得した動作に応答して出力させる、
請求項２６に記載のシステム。
【請求項２９】
前記出力信号が、前記ユーザインタフェースから前記第１のユーザをログオフする命令を含む、請求項２６に記載のシステム。
【請求項３０】
前記命令が、前記１つまたは複数のプロセッサにより実行されると、前記システムに、前記１つまたは複数のステップを選択的に容易にするようにさせ、前記システムにさらに、前記第１のユーザがユーザインタフェースを介して前記プロセス制御システムにアクセスすることを可能にするようにさせる、請求項２６に記載のシステム。
【請求項３１】
前記命令が、前記１つまたは複数のプロセッサにより実行されると、前記システムにさらに、前記第１のユーザの前記判定された身元に基づいて、ユーザプロファイルを起動させる、請求項２６に記載のシステム。
【請求項３２】
前記命令が、１つまたは複数の前記プロセッサにより実行されると、前記システムに、ユーザ入力に対応する１つまたは複数のステップを選択的に容易にさせ、前記システムに、前記プロセス制御システムのセットポイントを調整させる、請求項２６に記載のシステム。
【請求項３３】
前記命令が、１つまたは複数の前記プロセッサにより実行されると、前記システムに、ユーザ入力に対応する１つまたは複数のステップを選択的に容易にさせ、前記システムに、前記プロセス制御システムのモジュールを構成させる、請求項２６に記載のシステム。
【発明の詳細な説明】
【技術分野】
【０００１】
本開示は、一般に、プロセス制御システムのアクセスセキュリティに関する。より詳しくは、本開示は、生体認証データに基づくプロセス制御システムのアクセスセキュリティに関する。
【背景技術】
【０００２】
プロセス制御システムにアクセスするためにユーザ認可を確認して実施することは、一般的に、関連するセキュリティアーキテクチャの大部分を占めている。プロセスプラントオペレータアプリケーションにおいて、システムアクセスは通常、ユーザがプロセス制御システムと対話することを試みるたびに認証される。一般的な実装では、ユーザがシステムにログインし、ユーザがログアウトして別のユーザがログインするまで、対応するユーザの信任情報がキャッシュされて記憶される。
【０００３】
電子署名（ＥＳＩＧ）ポリシーを用いる場合、システムにアクセスするための認可は、より複雑となり得る。例えば、ユーザがアクセスを試みるたびに、ログインおよびパスワードを入力することが必要となる場合もある。より面倒なことに、２つのユーザログインおよびパスワードが要求されることもある。このようなシステムは、以下のようないくつかの課題、つまり、１）ユーザがログアウトなしで立ち去る場合、他の誰かがこの人として動作を実行することができ、２）利用者パスワードがハッキングされるか、盗まれるか、または、忘れられる可能性があり、そのため、付加的なパスワードセキュリティ（複雑さ、変更の頻度など）がさらにこれを難しくする場合があり、３）信任情報の入力は往々にして遅く、反復的であり、また、苦痛を伴い、ＥＳＩＧのための２つの署名を必要とするときに、これはさらに面倒である、ということがある。
【０００４】
関連するシステムログインは連続的な入力を必要とすることが多く、対応する入力をタイプするために入力ブロックを変更することに関連する時間の無駄がある。これは、システムアクセス認可を使用することを法的に必要としないユーザが、手間を避けるために安全機能をオフにしかねない。
【発明の概要】
【発明が解決しようとする課題】
【０００５】
必要とされるのは、公知のプロセス制御システムのアクセスセキュリティを改善する装置、方法およびシステムである。
【課題を解決するための手段】
【０００６】
プロセスプラントのためのプロセス制御システムを操作する方法は、ユーザインタフェースのセンサを介して、プロセス制御システムと対話することを認可されたユーザの生体認証データを取得することを含むことができる。この方法はまた、取得した生体認証データをプロセス制御システムと対話することを認可されたユーザの記憶されたデータと比較して、取得した生体認証データと記憶されたデータの間の一致に基づいてユーザの身元を判定することを含むこともできる。方法は、ユーザの身元が判定されたときにユーザアクセスをプロセス制御システムに提供することをさらに含むことができる。
【０００７】
別の実施態様では、プロセスプラントのためのプロセス制御システムを操作するシステムは、通信ネットワーク、通信で通信ネットワークに連結された１つまたは複数のプロセッサ、および１つまたは複数のプロセッサに連結され、その上に命令を記憶している非一
時的コンピュータ可読メモリを含むことができる。命令は、１つまたは複数のプロセッサにより実行されると、システムに、ユーザインタフェースのセンサを介して、プロセス制御システムと対話することが認可されたユーザの生体認証データを取得させることができる。命令は、１つまたは複数のプロセッサにより実行されると、システムにさらに、取得した生体認証データをプロセス制御システムと対話することを認可されたユーザの記憶されたデータと比較させ、取得した生体認証データと記憶されたデータの間の一致に基づいてユーザの身元を判定させることができる。命令は、１つまたは複数のプロセッサにより実行されると、システムにまた、ユーザの身元が判定されたときに、プロセス制御システムへのユーザアクセスを提供させることができる。
【０００８】
さらなる実施形態では、有形の、コンピュータ可読媒体は、複数の命令を記憶することができ、その命令は、プロセス制御システムの１つまたは複数のプロセッサにより実行されると、プロセス制御システムに、１つまたは複数のセンサによって、プロセス制御システムの処理と関連したユーザの生体認証データを取得させ、１つまたは複数のプロセッサによって、取得した生体認証データに基づいてユーザの認可のレベルを判定させることができる。プロセス制御システムの１つまたは複数のプロセッサによって、さらに実行されると、命令は、ユーザの身元が判定されたときに、プロセス制御システムへのユーザアクセスをプロセス制御システムに提供させることができる。
【０００９】
さらに別の実施形態において、プロセスプラントのためのプロセス制御システムを操作するシステムは、通信ネットワーク、通信ネットワークに通信で連結する１つまたは複数のプロセッサ、および、１つまたは複数のプロセッサに連結しており、１つまたは複数のプロセッサにより実行されるときに、システムに、ユーザインタフェースのセンサを介して、プロセス制御システムと対話することを認可された第１のユーザの第１の生体認証データを取得させる命令をその上に記憶している、非一時的コンピュータ可読メモリを含むことができる。プロセッサによる命令の実行によって、システムは、第１の生体認証データをプロセス制御システムと対話することを認可されたユーザの記憶されたデータと比較し、第１の生体認証データと記憶されたデータの間の一致に基づいて第１のユーザの身元を判定することができる。命令の実行によってさらに、システムは、ユーザインタフェースのセンサを介して、プロセス制御システムと対話することが認可された第２のユーザの第２の生体認証データを取得し、第２の生体認証データに基づいて、第２のユーザの１つまたは複数の四肢の配置または声紋を判定し、判定された配置に基づいて、第２のユーザの電子署名を含む出力信号を提供することができる。プロセッサによる命令の実行によって、システムは、第１のユーザの身元が判定されたときに、出力信号に基づいて、プロセス制御システムへの第１のユーザアクセスを提供することができる。
【図面の簡単な説明】
【００１０】
【図１】図１は、アクセスセキュリティを含む例示的プロセス制御システムのブロック図を示す。
【図２】図２は、アクセスセキュリティを含む例示的プロセス制御システムワークステーションを示す。
【図３】図３は、アクセスセキュリティを含む例示的プロセス制御システムワークステーションのブロック図を示す。
【図４】図４は、プロセス制御システムにおいて、アクセスセキュリティを提供する例示的方法を示す。
【図５】図５は、プロセス制御システムにおいて、アクセスセキュリティを提供する例示的方法を示す。
【発明を実施するための形態】
【００１１】
本開示の装置、方法およびシステムは、カメラおよび顔および／またはジェスチャの認
識技術を使用できる。例えば、関連するプロセス制御アクセスセキュリティシステムは、関連するカメラの前に立っている人を認識するように訓練できる。
【００１２】
より概括的には、生体認証デバイス（例えば、カメラ、指紋スキャナ、マイクロホン）および関連するコンピュータを使用して、以前に分類された生体認証データを取得し、記憶できる。以前に分類された生体認証データは、関連するプロセス制御システムまたはその一部分にアクセスすることを認可されたことが検証されたプロセス制御システムユーザを表すことができる。その後、個人がセキュリティ保護された操作を実行することを試みると、生体認証デバイスは現在の生体認証データを取得することができ、関連するコンピューティング装置は、現在の生体認証データを以前に分類された生体認証データと比較して、その個人が認可されたユーザであるか否か判定できる。審査目的のために、個人の現在の生体認証データ（例えば、画像、指紋、音声録音など）は、ユーザがプロセス制御システムにアクセスする記録として、保存できる。
【００１３】
従って、例えば、ユーザがプロセス制御システムワークステーションから立ち去り、別のユーザがそのワークステーションにアクセスすることを試みるときに、関連するプロセス制御システムセキュリティ装置はユーザが変わったと自動的に判定できる。従って、実行された動作に関連して誤った信任情報が使われる危険性がない。
【００１４】
本開示の生体認証データベースのセキュリティ検証方法は公知のログインセッションの代替として用いることができ、あるいは公知のログインセッションは、生体認証データに基づくセキュリティアクセスに置き換えられた手動信任情報と組み合わされてもよい。言い換えれば、本開示の生体認証データベースのセキュリティアクセスは公知の手動ログインセキュリティと組み合わされて、セキュリティの追加のレイヤを提供できる。
【００１５】
ユーザと関連した生体認証データが関連するユーザ名／パスワードを置換できると想定すれば、関連するユーザ名／パスワード規則および／または問題が除去され得る。
【００１６】
電子署名（ＥＳＩＧ）を必要とするプロセス制御システムセキュリティのために、ジェスチャ認識は、生体認証データベースのセキュリティシステムの形態として採用できる。例えば、ジェスチャは、ユーザの四肢（例えば、腕、手、指など）の一時的な静的ポーズとして定義できる。従って、ＥＳＩＧシステムでは、確認者と検証者の間で区別する（すなわち、ＤｅｌｔａＶ  Ｂａｔｃｈ用語を使用して）ことができる。特に、関連する個人が所与のプロセス制御システムにアクセスすることを望むときはいつでも、確認者が、例えば腕、手または指を上げる場合に、ジェスチャを使用できる。あるいは、音声記録装置（例えば、マイクロホン）の追加によって、声紋を用いて、生体認証データを生成できる。ユーザの間で区別を行われなければならないときに、確認者は、例えば、「確認する」という単語を発声する。
【００１７】
本開示の生体認証データベースのセキュリティは、さらに増強されたセキュリティのために他のセキュリティ技術に組み込まれることができる。例えば、カメラ画像処理ソフトウェア（例えば、マイクロソフトＫｉｎｅｃｔ、マイクロソフトＫｉｎｅｃｔアプリケーションプログラミングインタフェース（ＡＰＩ）など）によるホスト侵入検出（ＨＩＤ）バッジまたは視覚ベースのバッジが、身元の証明の付加的な証拠として使用可能である。あるいは、顔および／またはジェスチャの認識は、独自の方法で、または他の既存の既製の技術を用いて実施されてもよい。
【００１８】
いかなる場合も、本開示の生体認証データベースのセキュリティ装置、方法およびシステムは、公知のセキュリティアクセスと比較してより安全なログインを提供することができ、公知のセキュリティアクセスと比較してより効果的なログインを可能にすることがで
き、アクセス要件を訓練してより安全な初期設定を可能とすることができ、人的エラーを減らすことができ、複数ユーザが一組のプロセス制御システムコンピュータ（例えば、ワークステーション、ユーザインタフェースなど）を共有できる。従って、プロセス制御システムユーザは、誤った信任情報を使用する危険なしに、プロセス制御システムアクセス装置の間で移動することが可能である。
【００１９】
図１に移り、例えば、産業プロセス（例えば、精製所、薬品製造プロセス、発電所など）を制御するのに用いられるプロセス制御システム１０は、データヒストリアン１４に、そして、通信ネットワーク１１を経た１つまたは複数のホストワークステーションまたはコンピュータ１６に接続している、プロセスコントローラ１２を含むことができる。ホストワークステーションまたはコンピュータ１６は、第１の生体認証デバイス１８（例えば、デジタルカメラ、指紋スキャナ、マイクロホンなど）および第２の生体認証デバイス１９（例えば、デジタルカメラ、指紋スキャナ、マイクロホンなど）を含むことができる。データヒストリアン１４は、例えば、以前に分類された生体認証データを記憶できる。以前に分類された生体認証データは、プロセス制御システム１０にアクセスすることを認可された少なくとも１つの個人の身元を表してもよい。本開示の生体認証データベースのセキュリティは、図１に図示されるデバイスのいずれかへのユーザアクセスを検証して認可するために、使用できる。さらに、本開示の生体認証データベースのセキュリティを使用して、プロセス制御システム１０構成、監視および／または制御へのアクセスを、認可された個人だけに限定できる。
【００２０】
ホストワークステーションまたはコンピュータ１６は、各々がディスプレイスクリーン１７を有する、任意のタイプのパーソナルコンピュータ、ワークステーションなどであってよい。コントローラ１２は、入出力（Ｉ／Ｏ）カード２８および２９を介して、フィールドデバイス２０〜２７に接続することもできる。通信ネットワーク１１は、例えば、イーサネット（登録商標）通信ネットワークまたは他の任意の適切であるか望ましい通信ネットワークでもよい。データヒストリアン１４は、データを記憶するための任意の所望のタイプのメモリおよび任意の所望または公知のソフトウェア、ハードウェアまたはファームウェアを有する、任意の所望のタイプのデータ収集ユニットであってよい。例えば、Ｅｍｅｒｓｏｎ  Ｐｒｏｃｅｓｓ  Ｍａｎａｇｅｍｅｎｔにより販売されるＤｅｌｔａＶ（商標）コントローラまたはＥＲ５０００コントローラでもよい、コントローラ１２は、例えば、標準４〜２０ｍＡデバイスおよび／またはＦＯＵＮＤＡＴＩＯＮ（登録商標）Ｆｉｅｌｄｂｕｓプロトコル、ＨＡＲＴ（登録商標）プロトコルなどの任意のスマート通信プロトコルと関連した任意の所望のハードウェアおよびソフトウェアを使用しているフィールドデバイス２０〜２７に、通信で接続できる。
【００２１】
フィールドデバイス２０〜２７は、プロセス内で物理的機能を実行する、および／またはプロセス変数を測定する、センサ、バルブ、レギュレータ、送信機、ポジショナなどの任意のタイプのプロセスデバイスとすることができる。Ｉ／Ｏカード２８および２９は、任意の所望の通信またはコントローラプロトコルに準拠する任意のタイプのＩ／Ｏデバイスであってよい。図１に図示される実施形態において、フィールドデバイス２０〜２３は、Ｉ／Ｏカード２８にアナログ回線を通じて通信する標準４〜２０ｍＡデバイスでもよく、または、Ｉ／Ｏカード２８に複合アナログおよびデジタル線を通じて通信するＨＡＲＴデバイスでもよい。フィールドデバイス２４〜２７は、Ｆｉｅｌｄｂｕｓプロトコル通信を使用しているＩ／Ｏカード２９に、デジタルバスを通じて通信する、Ｆｉｅｌｄｂｕｓフィールドデバイスなどのスマートデバイスでもよい。一般に、Ｆｉｅｌｄｂｕｓプロトコルは、標準化された物理インタフェースを、フィールドデバイスを相互接続する２線式ループまたはバスに提供する、全デジタル、シリアル、双方向通信プロトコルでもよい。Ｆｉｅｌｄｂｕｓプロトコルは、実質的に、プロセス内のフィールドデバイスにローカルエリアネットワークを提供することができ、それはフィールドデバイスが、例えば、プロ
セス設備の全体にわたって分散した位置で、Ｆｉｅｌｄｂｕｓプロトコルに従って定められる機能ブロック（例えば、ＰＩＤ機能ブロック）を使用してプロセス制御機能を実行し、これらの機能の実行の前後で互いに通信して全体の制御戦略を実施することを可能にすることができる。代替的に、または、加えて、フィールドデバイス２０〜２７は他の任意の所望の標準またはプロトコルにも準拠することができ、その中には既存または将来開発される任意の有線または無線標準、および既存または将来開発される任意のプロトコルも含む。
【００２２】
コントローラ１２は、１つまたは複数のプロセス制御ルーチン（例えば、モジュール）を実装または実行できるプロセッサ１２ａを含むことができ、それはコンピュータ可読メモリ１２ｂに記憶された制御ループ（例えば、ＰＩＤループ）または制御ループの一部分を含むことができて、デバイス２０〜２７、ホストコンピュータ１６および／またはデータヒストリアン１４と通信して任意の所望の方法でプロセスを制御できる。
【００２３】
本明細書に記載されている制御ルーチンまたは要素のいずれかが、必要に応じて、１つまたは複数のフィールドデバイス２０〜２７のような、異なるコントローラまたは他のデバイスのプロセッサによって、実装または実行される部分を有することができることに留意する必要がある。同様に、本願明細書において、記載されている、プロセス制御システム１０内に実装される制御ルーチンまたは要素は、ソフトウェア、ファームウェア、ハードウェアなどを含む任意の形をとることができる。プロセス制御要素は、例えば、任意のコンピュータ可読媒体に記憶される１ブロックにつきルーチンまたはモジュールを含む、プロセス制御システムの任意の部分または一部分でありえる。サブルーチン、サブルーチンの部分（例えば、コードの行）などのような、モジュールまたは制御手順の任意の部分であり得る制御ルーチンは、はしご論理、逐次機能図、機能ブロック図または任意の他のソフトウエアプログラミング言語または設計方法を用いるなどした任意の所望のソフトウェアフォーマットにおいて実施できる。同様に、制御ルーチンは、例えば、１つまたは複数のＥＰＲＯＭ、ＥＥＰＲＯＭ、特定用途向け集積回路（ＡＳＩＣ）または他の任意のハードウェアまたはファームウェア要素に、ハードコードすることができる。またさらに、制御ルーチンは、グラフィック設計ツールまたは他の任意のタイプのソフトウェア／ハードウェア／ファームウェアプログラミングまたは設計ツールを含む、任意の設計ツールを用いても設計できる。その結果、コントローラ１２は任意の所望の方法で制御戦略または制御ルーチンを実施するように構成できる、ということが理解されるであろう。
【００２４】
コントローラ１２は一般に機能ブロックと呼ばれるものを用いた制御戦略を実施することができ、そこにおいて、各機能ブロックは全体の制御ルーチンの一部（例えば、サブルーチン）で、他の機能ブロックと（リンクと呼ばれている通信を介して）連携して作動して、プロセス制御システム１０内のプロセス制御ループを実施できる。機能ブロックは、送信機、センサ、もしくはその他のプロセスパラメータ測定デバイスと関連するような入力機能、ＰＩＤ、ファジー論理などの制御を実行する制御ルーチンと関連するような制御機能、またはバルブもしくはレギュレータなどのいくつかのデバイスの操作を制御してプロセス制御システム１０内のいくつかの物理的機能を実行する出力機能、のうち１つを通常は実行する。ハイブリッドおよび他のタイプの機能ブロックが存在する。機能ブロックはコントローラ１２に記憶されて、それにより実行されることができるが、それは、これらの機能ブロックが、標準４〜２０ｍＡデバイスおよびＨＡＲＴおよびＦｉｅｌｄｂｕｓデバイスなどのいくつかのタイプの高機能フィールドデバイスのために使われるかまたは関連するときの、通常のケースである。代替的に、または、加えて、機能ブロックはフィールドデバイス自体に記憶されて、それ自体によって、実施することができ、それはいくつかのタイプのＦｉｅｌｄｂｕｓデバイスを有するケースであり得る。制御システムの記述が機能ブロック制御戦略を使用して本願明細書において、なされる一方で、制御戦略または制御ループもしくはモジュールは、他の規則、例えばはしご論理、逐次機能図などを
用いて、または、他の任意の所望のプログラミング言語または方法を用いても行うかまたは設計することもできる。
【００２５】
図１の分解ブロック３０で示すように、コントローラ１２は、多数の制御ループ３２、３４及び３６を含み、制御ループ３６は、適応型制御ルーチンすなわちブロック３８を含むものとして示される。各制御ループ３２、３４および３６は、通常は制御モジュールと呼ばれる。制御ループ３２、３４および３６は、適切なアナログ入力（ＡＩ）およびアナログ出力（ＡＯ）機能ブロックに接続された単一入力／単一出力ＰＩＤ制御ブロックを使用して単一ループ制御を実行するものとして示されており、バルブなどの制御デバイス、温度および圧力送信機などの測定デバイス、またはプロセス制御システム１０内の任意の他のデバイスと関連付けることができる。図１の例示的システムにおいて、適応型制御ループ３６は適応型ＰＩＤ制御ブロック３８を含み、このＰＩＤ制御ブロック３８は、典型的ＰＩＤルーチンに対して調整パラメータを適用するように判定して提供し、プロセスを制御する時、例えば、測定されたかまたは感知されたプロセスのパラメータを示すセンサ信号などの測定信号に基づいてプロセスの物理的パラメータを制御する、バルブおよび／または他の制御デバイスを用いてプロセスの動作を制御する時に、制御ループ３６のオンライン動作の間、ＰＩＤ制御ルーチンの動作を適応させる。制御ループ３２、３４および３６は、１つのＡＩ機能ブロックに通信可能に接続された入力および１つのＡＯ機能ブロックに通信可能に接続された出力を有するＰＩＤ制御を実行するものとして図示されているが、制御ループ３２、３４および３６は単一入力および単一出力より多くのものを含むことができ、これらの制御ループの入力および出力は、他のタイプの入力を受信し、他のタイプの出力を提供するために、任意の他の所望の機能ブロックまたは制御要素に接続されてもよい。さらに、適応型制御ブロック３８は、ＰＩ制御、ＰＤ制御、ニューラルネットワーク制御、ファジー論理制御、モデル予測制御または任意のタイプのフィードフォワード／フィードバック制御技術などの他のタイプの制御戦略を実装できる。
【００２６】
ＰＩＤ機能ブロック及び適応型ＰＩＤ機能ブロック３８のような図１に示した機能ブロックは、それ自体が１つまたは複数の相互接続された機能ブロックとして実装されてもよく、コントローラ１２により実行されてもよく、あるいは、ワークステーション１６の１つ、Ｉ／Ｏデバイス２８および２９のうちの１つ、またはフィールドデバイス２４〜２７のうちの１つなどの、任意の他の適切な処理デバイスに部分的にまたは全体的に置かれて、それにより実行されても良い。
【００２７】
図１に説明したとおり、ワークステーション１６のうちの１つは、適応型制御ブロック３８または制御ループ３６を設計して、制御して、実施しておよび／または表示するために用いる、１つまたは複数の適応型サポートルーチンを含むことができる。例えば、ワークステーション１６は、例えば、ユーザが、適応型ＰＩＤ制御ブロック３８にパラメータを入力し、適応型制御ループ３６またはそのブロックの機能を開始、停止および制御し、制御ブロック３８に対しセットポイントおよびその他の調整などを提供することを可能にするユーザインタフェースを生成できる、プロセッサ４０を含むことができる。またさらに、ワークステーション１６は、プロセッサ４０により実行されると、生体認証データに基づいてプロセス制御システムアクセスセキュリティを提供するルーチンまたはブロック４２を含むことができる。
【００２８】
図２を参照し、プロセス制御システム２００は、第１の生体認証デバイス２１８（例えば、デジタルカメラ、指紋スキャナ、マイクロホンなど）および第２の生体認証デバイス２１９（例えば、デジタルカメラ、指紋スキャナ、マイクロホンなど）を有するワークステーション２１７を含むことができる。例えば、ワークステーション２１７は、ホストワークステーションのどちらかまたは図１のコンピュータ１６と類似していてもよい。
【００２９】
いかなる場合も、個人２１１がプロセス制御システム２００にアクセスすることを試みるときに、現在の生体認証データは第１の生体認証デバイス２１８および／または第２の生体認証デバイス２１９を介して自動的に取得できる。例えば、現在の生体認証データ２１５は、個人２１１の少なくとも一部分（例えば、顔、腕、手、指、声紋、ジェスチャ）を表すことができる。ワークステーション２１７は、現在の生体認証データ２１５を以前に分類された生体認証データ（例えば、図１のデータヒストリアン１４に記憶された、以前に分類された生体認証データ）と、自動的に比較できる。ワークステーション２１７が、現在の生体認証データ２１５はデータヒストリアン１４に記憶された以前に分類された生体認証データと一致すると判定する場合、ワークステーション２１７はプロセス制御システム２００への個人２１１のアクセスを自動的に認可できる。他方で、ワークステーション２１７が、現在の生体認証データ２１５がデータヒストリアン１４に記憶された以前に分類された生体認証データと一致しないと判定する場合、ワークステーション２１７はプロセス制御システム２００への個人２１１のアクセスを自動的に否認できる。いずれの場合も、ワークステーション２１７は、認可または否認の記録として、現在の生体認証データ２１５を（日付／タイムスタンプとともに）記憶できる。
【００３０】
図３に移り、プロセス制御システム３００は、ワークステーション３０５を含むことができる。ワークステーション３０５は、図１のワークステーションもしくはコンピュータ１６あるいは図２のワークステーション２１７のいずれか１つと類似のものでもよい。ワークステーション３０５は、例えばコンピュータ可読命令の形で非一時的コンピュータ可読媒体３１０に記憶される、以前に識別された生体認証データ受信モジュール３１５、現在の生体認証データ受信モジュール３２０、生体認証データ比較モジュール３２５、以前に識別された電子署名（ＥＳＩＧ）データ受信モジュール３３０、現在のＥＳＩＧデータ受信モジュール３３５、ＥＳＩＧデータ比較モジュール３４０、プロセス制御システムアクセス「レベル」判定モジュール３４５、電子署名データ受信モジュール３５０およびユーザ身元データ記憶モジュール３５５を含むことができる。モジュール３１５〜３５５は、例えば、図１のルーチン４２と類似していてもよい。
【００３１】
以前に識別された生体認証データ受信モジュール３１５、現在の生体認証データ受信モジュール３２０、生体認証データ比較モジュール３２５、以前に識別された電子署名（ＥＳＩＧ）データ受信モジュール３３０、現在のＥＳＩＧデータ受信モジュール３３５、ＥＳＩＧデータ比較モジュール３４０、プロセス制御システムアクセス「レベル」判定モジュール３４５、電子署名データ受信モジュール３５０およびユーザ身元データ記憶モジュール３５５がコンピュータ可読命令の形で非一時的コンピュータ可読媒体３１０に記憶されることができる一方で、以前に識別された生体認証データ受信モジュール３１５、現在の生体認証データ受信モジュール３２０、生体認証データ比較モジュール３２５、以前に識別された電子署名（ＥＳＩＧ）データ受信モジュール３３０、現在のＥＳＩＧデータ受信モジュール３３５、ＥＳＩＧデータ比較モジュール３４０、プロセス制御システムアクセス「レベル」判定モジュール３４５、電子署名データ受信モジュール３５０およびユーザ身元データ記憶モジュール３５５の、いずれの１つも、全ても、またはいかなる下位組合せも、ハードウェア（例えば、１つまたは複数の個別部品回路、１つまたは複数の特定用途向け集積回路（ＡＳＩＣ）など）、ファームウェア（例えば、１つまたは複数のプログラム可能な特定用途向け集積回路（ＡＳＩＣ）、１つまたは複数のプログラマブル論理デバイス（ＰＬＤ）、１つまたは複数のフィールドプログラマブル論理デバイス（ＦＰＬＤ）、１つまたは複数のフィールドプログラマブルゲートアレイ（ＦＰＧＡ）など）ならびに／または、ハードウェア、ソフトウェアおよび／もしくはファームウェアの任意の組合せによって、実装できる。さらに、図３のワークステーション３０５は、図３に示されている要素に加えて、またはその代わりに、１つまたは複数の要素、プロセスおよび／またはデバイスを含むことができ、および／または、図示された要素、プロセスおよびデバイスのうちの２つ以上、任意の数、またはすべてを含むことができる。
【００３２】
図４を参照し、プロセス制御システム４００において、アクセスセキュリティを提供する方法は、例えば、図３のモジュール３１５〜３５５の少なくとも一部分を実行しているプロセッサ（例えば、図１のワークステーションまたはコンピュータ１６のプロセッサ４０）によって、実施できる。特に、プロセッサ４０は以前に識別された生体認証データ受信モジュール３１５を実行して、プロセッサ４０に以前に識別された生体認証データを受信させることができる（ブロック４１５）。以前に識別された生体認証データは、例えば、プロセス制御システムにアクセスすることを認可された少なくとも１つの個人の身元を表すことができる。以前に識別された生体認証データは、例えば、画像データ、音声録音データ、指紋データ、ジェスチャデータなどであってもよい。プロセッサ４０は、例えば、データヒストリアン（例えば、図１のデータヒストリアン１４）から、以前に識別された生体認証データを受信できる。
【００３３】
プロセッサ４０は現在の生体認証データ受信モジュール３２０を実行して、プロセッサ４０に現在の生体認証データを受信させることができる（ブロック４２０）。現在の生体認証データは、例えば、プロセス制御システムにアクセスすることを試みている少なくとも１つの個人の身元を表すことができる。現在の生体認証データは、例えば、画像データ、音声録音データ、指紋データ、ジェスチャデータなどであってもよい。プロセッサ４０は、例えば、デジタルカメラ、マイクロホン、指紋スキャナなどから、現在の生体認証データを受け取ることができる。
【００３４】
プロセッサ４０は生体認証データ比較モジュール３２５を実行して、プロセッサ４０に現在の生体認証データを以前に識別された生体認証データ（ブロック４２５）と比較させることができる。例えば、プロセッサ４０は、現在の生体認証データが以前に識別された生体認証データと一致するか否かを判定できる（ブロック４３０）。
【００３５】
現在の生体認証データが以前に識別された生体認証データと一致しないとプロセッサ４０が判定すると（ブロック４３０）、プロセッサ４０はプロセス制御システムへの個人のアクセスを否認することができ、現在の生体認証データを再び受信できる（ブロック４２０）。現在の生体認証データが以前に識別された生体認証データと一致するとプロセッサ４０が判定すると（ブロック４３０）、プロセッサ４０はプロセス制御システムへの個人のアクセスを許可することができ、プロセス制御システムアクセス「レベル」判定モジュール３４５を実行して、例えば、関連するプロセスプラントに関する個人の役割（例えば、監督者、マネージャ、エンジニア、プラントオペレータ、保守要員など）に基づいて個人のためのアクセス「レベル」を判定すること（ブロック４３５）ができ、またユーザ身元データ記憶モジュール３５５を実行して、アクセスを試みている個人および／または関連する日付／タイムスタンプを表す記録を、プロセッサ４０に記憶させることができる（ブロック４４０）。審査目的のために、個人の現在の生体認証データ（例えば、画像、指紋、音声録音など）が、例えば、どのユーザがプロセス制御システムにアクセスしているかの記録（または「確証」）として保存されることができる。
【００３６】
上述の通り、方法４００は、プロセッサによる実行のためのプログラム（またはモジュール）を含むことができる。プログラム（またはモジュール）は、読み取り専用コンパクトディスク（「ＣＤ−ＲＯＭ」）、フロッピーディスク、ハードドライブ、ＤＶＤ、ブルーレイディスクまたはパーソナル電子機器（ＰＥＤ）プロセッサと関連したメモリなどの、有形の（または非一時的）コンピュータ可読の記憶媒体に記憶されるソフトウェアで実施できる。全プログラム（またはモジュール）および／またはその一部は、代わりに、パーソナル電子機器（ＰＥＤ）プロセッサ以外のデバイスによって、実行することおよび／またはファームウェアもしくは専用ハードウェア（例えば、１つまたは複数の個別部品回路、１つまたは複数の特定用途向け集積回路（ＡＳＩＣ）など）で実施できる。さらに、
図４に図示されるフローチャートに関して例示プログラム（またはモジュール）が記載されているが、方法４００を実施する多くの他の方法を代わりに用いることもできる。例えば、ブロックの実行の順序は変えることができ、および／または、記載されているブロックのいくつかは変更したり、除去したり、もしくは組み合わせたりすることができる。
【００３７】
図５に移ると、プロセス制御システム５００のアクセスセキュリティを提供する方法は、例えば、図３のモジュール３１５〜３５５の少なくとも一部分を実行しているプロセッサ（例えば、図１のワークステーションまたはコンピュータ１６のプロセッサ４０）によって、実施できる。電子署名（ＥＳＩＧ）を必要とするプロセス制御システムセキュリティのために、ジェスチャ認識は、生体認証データベースのセキュリティシステムの形として、方法５００に従って使用できる。ジェスチャは、例えば、第１のユーザ（例えば、検証者）および／または第２のユーザ（例えば、確認者）の四肢（例えば、腕、手、指など）の一時的な静的ポーズとして定義できる。従って、ＥＳＩＧシステムでは、確認者と検証者の間で区別をする（すなわち、ＤｅｌｔａＶ  Ｂａｔｃｈ用語を使用して）ことができる。特に、ジェスチャは、関連する個人が伝えられたプロセス制御システムにアクセスすることを望んだときはいつでも、検証者および／または確認者が、例えば、腕、手または指を上げることができる場合に使用できる。いかなる場合も、電子署名を実施して、規制遵守努力（例えば、ＦＤＡ２１  ＣＦＲ  ＰＡＲＴ１１、ＯＳＨＡ、ＩＳＯ９０００など）を満たすことができる。
【００３８】
代替的に、または、加えて、音声記録装置（例えば、マイクロホン）の追加により、声紋を用いて生体認証データを生成できる。従って、区別がユーザの間に要求されるときに、検証者は第１の単語（例えば、検証または検証者）を発声することができ、確認者は第２の単語（例えば、確認または、確認者）を発声できる。プロセッサ４０は音声認識を実行して、第１のユーザ（例えば、確認者）および／または第２のユーザ（例えば、検証者）を識別できる。方法５００は、例えば、バッチオペレータインタフェースおよびキャンペーンマネージャから電子署名を介して確認／検証の動作を組み込むことができる。行われるあらゆる動作は、実行するための第１のユーザ名およびパスワード（例えば、確認者ユーザ名およびパスワード）および第２のユーザ名およびパスワード（例えば、検証者ユーザ名およびパスワード）を要求するように設定できる。
【００３９】
より詳しくは、プロセッサ４０は以前に識別された生体認証データ受信モジュール３１５を実行して、プロセッサ４０に以前に識別された生体認証データを受信させることができる（ブロック５１５）。以前に識別された生体認証データは、例えば、プロセス制御システムにアクセスすることを認可された少なくとも１つの個人の身元を表すことができる。以前に識別された生体認証データは、例えば、画像データ、音声録音データ、指紋データ、ジェスチャデータなどであってもよい。プロセッサ４０は、例えば、データヒストリアン（例えば、図１のデータヒストリアン１４）から、以前に識別された生体認証データを受信できる。
【００４０】
プロセッサ４０は現在の生体認証データ受信モジュール３２０を実行して、プロセッサ４０に現在の生体認証データを受信させることができる（ブロック５２０）。現在の生体認証データは、例えば、プロセス制御システムにアクセスすることを試みている少なくとも１つの個人の身元を表すことができる。現在の生体認証データは、例えば、画像データ、音声録音データ、指紋データ、ジェスチャデータなどであってもよい。プロセッサ４０は、例えば、デジタルカメラ、マイクロホン、指紋スキャナなどから、現在の生体認証データを受信できる。
【００４１】
プロセッサ４０は生体認証データ比較モジュール３２５を実行して、プロセッサ４０に現在の生体認証データを以前に識別された生体認証データと比較させることができる（ブ
ロック５２５）。例えば、プロセッサ４０は、現在の生体認証データが以前に識別された生体認証データ（ブロック５３０）と一致するか否かを判定できる。
【００４２】
現在の生体認証データが以前に識別された生体認証データと一致しないとプロセッサ４０が判定すると（ブロック５３０）、プロセッサ４０はプロセス制御システムへの個人のアクセスを否認し、現在の生体認証データを再び受信できる（ブロック５２０）。現在の生体認証データが以前に識別された生体認証データと一致するとプロセッサ４０が判定すると（ブロック５３０）、プロセッサ４０は以前に識別された電子署名（ＥＳＩＧ）データ受信モジュール３３０を実行し、プロセッサ４０に、以前に識別されたＥＳＩＧデータを受信させることができる（ブロック５３５）。例えば、プロセッサ４０は、データヒストリアン（例えば、図１のデータヒストリアン１４）から、以前に識別されたＥＳＩＧデータを受信できる。以前に識別されたＥＳＩＧデータは、例えば、プロセス制御システムにアクセスする認可を有する少なくとも１つの個人の身元を表してもよい。以前に識別されたＥＳＩＧデータは、プロセス制御システムにアクセスすることを認可された個人と以前に関連していたジェスチャ（例えば、腕ジェスチャ、手ジェスチャ、指ジェスチャなど）を表してもよい。プロセッサ４０は、現在のＥＳＩＧデータ受信モジュール３３５を実行して、プロセッサ４０に現在のＥＳＩＧデータを受信させることができる（ブロック５４０）。プロセッサ４０は、ＥＳＩＧデータ比較モジュール３４０を実行して、プロセッサ４０に現在のＥＳＩＧデータを以前に識別されたＥＳＩＧデータと比較させることができる（ブロック５４５）。例えば、プロセッサ４０は、現在のＥＳＩＧデータが以前に識別されたＥＳＩＧデータと一致するか否かを判定できる（ブロック５５０）。
【００４３】
現在のＥＳＩＧデータが以前に識別されたＥＳＩＧデータと一致しないとプロセッサ４０が判定すると（ブロック５５０）、プロセッサ４０はプロセス制御システムへの個人のアクセスを否認し、現在の生体認証データを受信できる（ブロック５２０）。現在のＥＳＩＧデータが以前に識別されたＥＳＩＧデータと一致するとプロセッサ４０が判定すると（ブロック５５０）、プロセッサ４０はプロセス制御システムに対する個人のアクセスを許可することができ、プロセス制御システムアクセス「レベル」判定モジュール３４５を実行して、例えば、関連するプロセスプラントに関する個人の役割（例えば、監督者、マネージャ、エンジニア、プラントオペレータ、保守要員など）に基づいて、個人のためのアクセス「レベル」を判定すること（ブロック５５５）ができ、ユーザ識別データ記憶モジュール３５５を実行して、プロセッサ４０に、アクセスを試みている個人および／または関連する日付／タイムスタンプを表す記録を記憶させることができる（ブロック５６０）。審査目的のために、個人の現在の生体認証データ（例えば、画像、指紋、音声録音など）が、例えば、どのユーザがプロセス制御システムにアクセスしているかの記録（または「確証」）として保存されることができる。
【００４４】
上述の通り、方法５００は、プロセッサによる実行のためのプログラム（またはモジュール）を含むことができる。プログラム（またはモジュール）は、読み取り専用コンパクトディスク（「ＣＤ−ＲＯＭ」）、フロッピーディスク、ハードドライブ、ＤＶＤ、ブルーレイディスクまたはパーソナル電子機器（ＰＥＤ）プロセッサと関連したメモリなどの、有形の（または非一時的）コンピュータ可読の記憶媒体に記憶されるソフトウェアで実施できる。全プログラム（またはモジュール）および／またはその一部は、代わりに、パーソナル電子機器（ＰＥＤ）プロセッサ以外のデバイスによって、実行することおよび／またはファームウェアもしくは専用ハードウェア（例えば、１つまたは複数の個別部品回路、１つまたは複数の特定用途向け集積回路（ＡＳＩＣ）など）で実施できる。さらに、図５に図示されるフローチャートに関して例示プログラム（またはモジュール）が記載されているが、方法５００を実施する多くの他の方法を代わりに用いることもできる。例えば、ブロックの実行の順序は変えることができ、および／または、記載されているブロックのいくつかは変更したり、除去したり、もしくは組み合わせたりすることができる。
【００４５】
上記のように、図４および５の例示的プロセスは、任意の期間（例えば、長期間、永久に、短期間、またはバッファリングのため一時的に、および／または情報のキャッシュのため）情報が記憶されるハードディスクドライブ、フラッシュメモリ、読取り専用メモリ（ＲＯＭ）、コンパクトディスク（ＣＤ）、デジタル多用途ディスク（ＤＶＤ）、キャッシュ、ランダムアクセスメモリ（ＲＡＭ）などの有形の（例えば、非一時的）コンピュータ可読媒体および／または任意の他の記憶媒体に保存される符号化命令（例えば、コンピュータ可読命令）を使用して、実施できる。本明細書において、使用する場合、有形のコンピュータ可読媒体という用語は、任意のタイプのコンピュータ可読記憶媒体を含み、伝搬性信号を除外するように明示的に定義している。加えて、または、代替的に、図４および５の例示的プロセスは、任意の期間（例えば、長期間、永久に、短期間、一時的にバッファリングのため、および／または情報のキャッシュのため）情報が記憶される、ハードディスクドライブ、フラッシュメモリ、読取り専用メモリ、コンパクトディスク、デジタル多用途ディスク、キャッシュ、ランダムアクセスメモリなどの固定コンピュータ可読媒体および／または任意の他の記憶媒体に保存される符号化命令（例えば、コンピュータ可読命令）を使用して、実施できる。本明細書において、使用する場合、「少なくとも」というフレーズが請求項の前置きの移行用語として使われるとき、「含む」という用語が制限的でないのと同様に、制限的でない。このように、「少なくとも」を移行用語としてその前置きに使用している請求項は、その請求項において、明示的に詳述される要素に追加した要素を含み得る。
【００４６】
本開示の以下の態様は、例示的なものでしかなく、本開示の範囲を限定することを意図するものではない。
【００４７】
［態様１］  プロセスプラントのためのプロセス制御システムを操作する方法であって、ユーザインタフェースのセンサを介して、前記プロセス制御システムと対話することを認可されたユーザの生体認証データを取得することと、前記取得した生体認証データを、前記プロセス制御システムと対話することを認可されたユーザの記憶されたデータと比較することと、前記取得した生体認証データと前記記憶されたデータの間の一致に基づいてユーザの身元を判定することと、前記ユーザの前記身元が判定されると、前記ユーザアクセスを前記プロセス制御システムに提供することとを含む方法。
【００４８】
［態様２］  前記取得した生体認証データが前記ユーザの顔の少なくとも一部分を含む画像を含み、前記取得した生体認証データを記憶されたデータと比較することが、前記画像の１つまたは複数の顔の特性を判定することと、前記１つまたは複数の顔の特性を前記プロセス制御システムと対話することを認可されたユーザの記憶されたデータと比較することとを含む、態様１に記載の方法。
【００４９】
［態様３］  前記取得した生体認証データが音声録音を含み、前記取得した生体認証データを記憶されたデータと比較することが、前記音声録音の１つまたは複数の音特性を判定することと、前記音声録音の前記１つまたは複数の特性を、前記プロセス制御システムと対話することを認可されたユーザの記憶されたデータと比較することとを含む、態様１または態様２に記載の方法。
【００５０】
［態様４］  前記音声録音の前記１つまたは複数の音特性を判定することは、前記音声録音と関連したトーン、ピッチ、韻律または周波数の１つまたは複数を分析することを含む、態様３に記載の方法。
【００５１】
［態様５］  前記プロセス制御システムへのアクセスを許可することは、電子署名のための要求である前記ユーザインタフェースへの入力を含み、前記ユーザインタフェースの
前記センサを介して前記ユーザの画像を取得することと、前記取得した画像に基づいて、前記ユーザの１つまたは複数の四肢の配置を判定することと、前記判定された配置に基づいて、前記ユーザの電子署名を含む出力信号を提供することとをさらに含む、態様１から４のいずれか１つに記載の方法。
【００５２】
［態様６］  前記ユーザの前記身元に基づいて認可のレベルを判定することと、前記判定された認可のレベルに基づいて、前記ユーザインタフェースの１つまたは複数の要素を切り換えることとをさらに含む、態様１から５のいずれか１つに記載の方法。
【００５３】
［態様７］  前記プロセス制御システムへのアクセスを許可することは、前記ユーザインタフェースの１つまたは複数の構成要素を有効にすることを含んで、ユーザ入力に応答して１つまたは複数の変更を選択的に容易にすることを含む、態様１から６のいずれか１つに記載の方法。
【００５４】
［態様８］  前記プロセス制御システムへのアクセスを許可することは、前記プロセス制御システムのセットポイントを調整することを含んで、ユーザ入力に応答して１つまたは複数の変更を選択的に容易にすることを含む、態様１から７のいずれか１つに記載の方法。
【００５５】
［態様９］  前記プロセス制御システムへのアクセスを許可することは、前記プロセス制御システムのモジュールを構成することを含んで、ユーザ入力に応答して１つまたは複数の変更を選択的に容易にすることを含む、態様１から８のいずれか１つに記載の方法。
【００５６】
［態様１０］  前記プロセス制御システムへのアクセスを許可することは、前記ユーザの前記判定された身元を含む出力信号を提供することを含んで、ユーザ入力に応答して１つまたは複数の変更を選択的に容易にすることを含む、態様１から９のいずれか１つに記載の方法。
【００５７】
［態様１１］  プロセスプラントのためのプロセス制御システムを操作するためのシステムであって、通信ネットワークと、前記通信ネットワークに通信で連結された１つまたは複数のプロセッサと、前記１つまたは複数のプロセッサに連結され、前記１つまたは複数のプロセッサにより実行されると、前記システムに、ユーザインタフェースのセンサを介して、前記プロセス制御システムと対話することを認可されたユーザの生体認証データを取得させ、前記取得した生体認証データを、前記プロセス制御システムと対話することを認可されたユーザの記憶されたデータと比較させ、前記取得した生体認証データと前記記憶されたデータ間の一致に基づいてユーザの身元を判定させ、前記ユーザの前記身元が判定されると、前記プロセス制御システムへの前記ユーザアクセスを提供させる命令をその上に記憶している、非一時的コンピュータ可読メモリとを含むシステム。
【００５８】
［態様１２］  前記取得した生体認証データが前記ユーザの顔の少なくとも一部分を含んでいる画像を含み、前記１つまたは複数の前記プロセッサにより実行されると前記システムに前記取得した生体認証データを記憶されたデータと比較させる前記命令が、前記取得した生体認証データの１つまたは複数の顔の特性を判定することと、前記１つまたは複数の特性を前記プロセスと関連した認可されたユーザの記憶されたデータと比較することとを含む、態様１１に記載のシステム。
【００５９】
［態様１３］  前記１つまたは複数のプロセッサにより実行されると、前記１つまたは複数のステップを選択的に容易にさせる前記命令が、前記システムにさらに、前記取得した生体認証データに基づいて、前記ユーザの１つまたは複数の四肢の配置を判定させ、前記判定された配置に基づいて、前記ユーザの電子署名を含む出力信号を提供させる、態様
１１または態様１２に記載のシステム。
【００６０】
［態様１４］  前記１つまたは複数のプロセッサにより実行されると、前記命令が前記システムにさらに、前記ユーザインタフェースの前記センサを介して前記ユーザと関連した動作を取得させ、前記取得した動作に基づいて、前記取得した動作に応答して出力信号を提供させる、態様１１から１３のいずれか１つに記載のシステム。
【００６１】
［態様１５］  前記出力信号が、前記ユーザインタフェースから前記ユーザをログオフする命令を含む、態様１４に記載のシステム。
【００６２】
［態様１６］  前記１つまたは複数のプロセッサにより実行されると、前記１つまたは複数のステップを選択的に容易にさせる前記命令が、前記システムにさらに、前記ユーザはユーザインタフェースを介して前記プロセス制御システムにアクセスすることが可能となるようにさせる、態様１１から１５のいずれか１つに記載のシステム。
【００６３】
［態様１７］  前記１つまたは複数のプロセッサにより実行されると、前記命令が前記システムにさらに、前記ユーザの前記判定された身元に基づいてユーザプロファイルを起動させる、態様１１から１６のいずれか１つに記載のシステム。
【００６４】
［態様１８］  前記１つまたは複数のプロセッサにより実行されると、前記命令が、ユーザ入力に対応する１つまたは複数のステップを選択的に容易にして、前記システムに、前記プロセス制御システムのセットポイントを調整させる、態様１１から１７のいずれか１つに記載のシステム。
【００６５】
［態様１９］  前記１つまたは複数のプロセッサにより実行されると、前記命令が、ユーザ入力に対応する１つまたは複数のステップを選択的に容易にして、前記システムに、前記プロセス制御システムのモジュールを構成させる、態様１１から１８のいずれか１つに記載のシステム。
【００６６】
［態様２０］  プロセス制御システムの１つまたは複数のプロセッサにより実行されると、前記プロセス制御システムに、１つまたは複数のセンサによって、前記プロセス制御システムのプロセスと関連したユーザの生体認証データを取得させ、前記１つまたは複数のプロセッサによって、前記取得した生体認証データに基づいて前記ユーザの認可のレベルを判定させ、前記ユーザの前記身元が判定されると、前記プロセス制御システムへの前記ユーザアクセスを提供させる命令を記憶する、有形のコンピュータ可読媒体。
【００６７】
［態様２１］  プロセス制御システムの１つまたは複数のプロセッサにより実行されると、前記プロセス制御システムに、前記１つまたは複数のプロセッサによって、前記ユーザからの前記プロセスに対応する入力を受信させ、前記判定された認可のレベルに基づいて、前記１つまたは複数のプロセッサによって、前記入力に対応する１つまたは複数のステップを選択的に容易にさせる命令をさらに記憶する、態様２０に記載の有形のコンピュータ可読媒体。
【００６８】
［態様２２］  前記プロセスに対応する前記入力は電子署名のための要求であり、前記１つまたは複数のプロセッサにより実行されると前記１つまたは複数のステップを選択的に容易にする前記命令が、前記プロセス制御システムにさらに、前記１つまたは複数のプロセッサによって、前記取得した生体認証データに基づいて、前記ユーザの１つまたは複数の四肢の配置を判定させ、前記判定された配置に基づいて、前記ユーザの電子署名を含む出力信号を提供させる、態様２１に記載の有形のコンピュータ可読媒体。
【００６９】
［態様２３］  前記１つまたは複数のプロセッサにより実行されると、前記入力に対応する前記１つまたは複数のステップを選択的に容易にする前記命令が、前記プロセス制御システムにさらに、前記ユーザがユーザインタフェースを介して前記プロセス制御システムにアクセスすることを可能にさせる、態様２１または態様２２のいずれかに記載の有形のコンピュータ可読媒体。
【００７０】
［態様２４］  前記１つまたは複数のプロセッサにより実行されると、前記入力に対応する前記１つまたは複数のステップを選択的に容易にする前記命令が、前記プロセス制御システムにさらに、前記プロセス制御システムのセットポイントを調整させる、態様２１から２３のいずれか１つに記載の有形のコンピュータ可読媒体。
【００７１】
［態様２５］  前記１つまたは複数のプロセッサにより実行されると、前記入力に対応する前記１つまたは複数のステップを選択的に容易にする前記命令が、前記プロセス制御システムにさらに、前記プロセス制御システムのモジュールを構成させる、態様２１から２４のいずれか１つに記載の有形のコンピュータ可読媒体。
【００７２】
［態様２６］  プロセスプラントのためのプロセス制御システムを操作するシステムであって、通信ネットワークと、前記通信ネットワークに通信で連結した１つまたは複数のプロセッサと、前記１つまたは複数のプロセッサに連結して、１つまたは複数の前記プロセッサにより実行されると、前記システムに、ユーザインタフェースのセンサを介して、前記プロセス制御システムと対話することを認可されたユーザの第１の生体認証データを取得させ、前記第１の生体認証データを、前記プロセス制御システムと対話することを認可されたユーザの記憶されたデータと比較させ、前記第１の生体認証データと前記記憶されたデータの間の一致に基づいて第１のユーザの身元を判定させ、ユーザインタフェースのセンサを介して、前記プロセス制御システムと対話することを認可された第２のユーザの第２の生体認証データを取得させ、前記取得した生体認証データに基づいて、前記第２のユーザの１つまたは複数の四肢の配置または声紋を判定させ、前記判定された配置に基づいて、前記第２のユーザの電子署名を含む出力信号を提供させ、前記第１のユーザの前記身元が判定されると、前記出力信号に基づいて、前記プロセス制御システムへの前記第１のユーザアクセスを提供させる命令をその上に記憶する、非一時的コンピュータ可読メモリとを含むシステム。
【００７３】
［態様２７］  前記第１の生体認証データが前記第１のユーザの顔の少なくとも一部分を含んでいる画像を含み、前記第１のユーザが確認者であり、前記１つまたは複数の前記プロセッサにより実行されると前記システムに前記第１の生体認証データを記憶されたデータと比較させる前記命令が、前記第１の生体認証データの１つまたは複数の顔の特性を判定することと、および前記１つまたは複数の特性を前記プロセスと関連した認可されたユーザの記憶されたデータと比較することとを含む、態様２６に記載のシステム。
【００７４】
［態様２８］  前記命令が、１つまたは複数の前記プロセッサにより実行されると、前記システムにさらに、前記ユーザインタフェースの前記センサを介して、前記第２のユーザと関連した動作を取得させ、前記取得した動作に基づいて、前記第２のユーザは検証者であるところにおいて、前記出力信号を前記取得した動作に応答して出力させる、態様２６または態様２７のいずれかに記載のシステム。
【００７５】
［態様２９］  前記出力信号が、前記ユーザインタフェースから前記第１のユーザをログオフする命令を含む、態様２６から２８のいずれか１つに記載のシステム。
【００７６】
［態様３０］  前記命令が、前記１つまたは複数のプロセッサにより実行されると、前記システムに、前記１つまたは複数のステップを選択的に容易にするようにさせ、前記シ
ステムにさらに、前記第１のユーザがユーザインタフェースを介して前記プロセス制御システムにアクセスすることを可能にするようにさせる、態様２６から２９のいずれか１つに記載のシステム。
【００７７】
［態様３１］  前記命令が、前記１つまたは複数のプロセッサにより実行されると、前記システムにさらに、前記第１のユーザの前記判定された身元に基づいて、ユーザプロファイルを起動させる、態様２６から３０のいずれか１つに記載のシステム。
【００７８】
［態様３２］  前記命令が、１つまたは複数の前記プロセッサにより実行されると、前記システムに、ユーザ入力に対応する１つまたは複数のステップを選択的に容易にさせ、前記システムに、前記プロセス制御システムのセットポイントを調整させる、態様２６から３１のいずれか１つに記載のシステム。
【００７９】
［態様３３］  前記命令が、１つまたは複数の前記プロセッサにより実行されると、前記システムに、ユーザ入力に対応する１つまたは複数のステップを選択的に容易にさせ、前記システムに、前記プロセス制御システムのモジュールを構成させる、態様２６から３２のいずれか１つに記載のシステム。
【００８０】
フィールドデバイスの各種の機能および／またはシステムは、「モジュール」、「コンポーネント」または「機能ブロック」として本願明細書において、記述されている一方で、これらの用語が単一の、統合されたユニットには限定されていないことに留意する。さらに、本発明が具体的な実施例を参照して記載されている一方で、それらの実施例は、例証することだけを意図しており、本発明を制限することを意図してない。変更、追加または削除が、本発明の精神と範囲から逸脱することなく、開示された実施形態になされることができることは、当業者にとって明らかである。例えば、上記の方法の１つまたは複数の部分は、異なる順序で（または並行して）実行することができ、それでも望ましい結果を成し遂げることができる。
【図１】
2018063701.tif 000003
【図２】
2018063701.tif 000004
【図３】
2018063701.tif 000005
【図４】
2018063701.tif 000006
【図５】
2018063701.tif 000007
【外国語明細書】
2018063701000001.pdf